(57)【要約】【課題】配管路の煩雑化を招くことなく、緯入れノズルへの糸通し作用を容易に行うことのできるエア噴射織機を提供する。【解決手段】空気流を利用して緯入れを行うための緯入れノズルと、該緯入れノズルに緯入れ用圧縮空気を供給するための第１の供給路と、前記圧縮空気の圧力と異なる圧力の圧縮空気を緯入れノズルに供給するための第２の供給路とを備える。第２の供給路には、緯入れノズルを経た緯糸の給糸カッタによる切断時期に関連して開放動作される開閉弁が設けられている。この開閉弁は、また、前記開放動作とは別に緯入れノズルへの緯糸の糸通しのために開放動作される。【選択図】図１
2007239164.tif 000002
【特許請求の範囲】
【請求項１】
緯入れノズルから噴射される圧縮空気によって経糸のひ口に緯糸を挿入するエア噴射織機において、
空気流を利用して緯入れを行うための緯入れノズルと、該緯入れノズルに緯入れ用圧縮空気を供給するための第１の供給路と、前記圧縮空気の圧力と異なる圧力の圧縮空気を前記緯入れノズルに供給するための第２の供給路であって前記緯入れノズルを経た緯糸の給糸カッタによる切断時期に関連して開放動作される開閉弁が設けられた第２の供給路と、前記開放動作とは別に前記緯入れノズルへの緯糸の糸通しのために前記開閉弁を開放する制御装置とを含む、エア噴射織機。
【請求項２】
前記制御装置は、前記開閉弁を開放動作させる手動操作器を備え、該手動操作器からの制御信号を受けているとき、前記開閉弁は前記緯入れノズルへの緯糸の糸通しのために開放される、請求項１に記載のエア噴射織機。
【請求項３】
前記手動操作器は、前記制御信号を出力するための操作スイッチと、前記開閉弁の開放時間を設定する設定器と、前記操作スイッチが操作されたとき前記設定器により設定された時間の間、前記制御信号を前記開閉弁に出力する出力器とを備える、請求項２に記載のエア噴射織機。
【請求項４】
前記手動操作器は、前記制御信号を出力するための操作スイッチと、該操作スイッチが前記緯入れノズルへの緯糸の糸通しのためにオン操作されている間、前記制御信号を前記開閉弁に連続的に出力する出力器とを備える、請求項３に記載のエア噴射織機。
【発明の詳細な説明】
【技術分野】
【０００１】
本発明は、緯入れノズルから噴射される圧縮空気によって経糸のひ口に緯糸を挿入するエア噴射織機に関する。
【背景技術】
【０００２】
エア噴射織機では、例えば特許文献１に示されているように、経糸で構成されるひ口への緯糸の挿入に、緯入れノズルが用いられており、緯入れノズルから噴射される緯入れ用の圧縮空気の連行作用により、緯糸がひ口に挿入される。
【０００３】
また、緯入れが終了した緯糸を給糸カッタで切断するときに緯糸に生じる縮によって緯入れノズルから緯糸が抜け落ちることを防止するために、この給糸カッタでの切断時期に関連して前記緯入れ用の圧縮空気の圧力よりも低い圧力の圧縮空気、すなわちカッティングブローが緯入れノズルに供給される。
【０００４】
さらに、緯入れノズルから緯糸が抜け落ちたとき、織機の製織動作を中断して緯入れノズルに緯糸を通す糸通し作業を容易とするために、この糸通し作業時にのみ、緯入れノズルに緯入れ用の圧縮空気より低い空気圧の圧縮空気が供給される。
【０００５】
これによれば、糸通し作業時に、緯入れ用の圧縮空気よりも低い圧縮空気が緯入れノズルに供給されることから、この低圧空気の連行作用により、緯糸にその撚りを戻す解撚作用を与えることなく、迅速かつ容易に緯入れノズルに糸通しすることができる。
【０００６】
【特許文献１】特許第２８９４４６５号公報
【０００７】
しかしながら、従来の前記エア噴射織機では、糸通し用の圧縮空気は、それ専用の配管路を経て緯入れノズルに案内されている。そのため、配管設備が煩雑化することから、配管路の簡素化を図ることが望まれていた。
【発明の開示】
【発明が解決しようとする課題】
【０００８】
そこで、本発明の目的は、配管路の煩雑化を招くことなく、緯入れノズルへの糸通し作業を容易に行うことのできるエア噴射織機を提供することにある。
【課題を解決するための手段】
【０００９】
本発明は、給糸カッタでの切断時期に関連して緯入れノズルに供給されるいわゆるカッティングブロー用の圧縮空気は糸通し作業が行われる織機の非製織動作中に不要である点に着目し、このカッティングブロー用の圧縮空気路を糸通し用の圧縮空気路と兼用するという基本構想に立脚する。
【００１０】
すなわち、本発明に係るエア噴射織機は、空気流を利用して緯入れを行うための緯入れノズルと、該緯入れノズルに緯入れ用圧縮空気を供給するための第１の供給路と、前記圧縮空気の圧力と異なる圧力の圧縮空気を前記緯入れノズルに供給するための第２の供給路であって前記緯入れノズルを経た緯糸の給糸カッタによる切断時期に関連して開放動作される開閉弁が設けられた第２の供給路と、前記開放動作とは別に前記緯入れノズルへの緯糸の糸通しのために前記開閉弁を開放する制御装置とを含むことを特徴とする。
【００１１】
本発明に係るエア噴射織機では、第２の供給路は、緯入れ用圧縮空気と圧力の異なる圧縮空気の供給を受ける。この第２の供給路に設けられた前記開閉弁は、前記緯入れノズルを経た緯糸の給糸カッタによる切断時期に関連して開放動作されることから、従来におけると同様なカッティングブローが緯入れノズルに供給される。これにより、給糸カッタで切断するとき、緯糸に生じる縮によって緯入れノズルから緯糸が抜け落ちることを確実に防止することができる。
【００１２】
しかも、前記開閉弁は前記制御装置により、糸通し作業時にも開放動作されることから、糸通し時に第２の供給路を経て前記緯入れノズルから噴出される圧縮空気は、緯糸を適正に緯入れノズルに連行する。これにより、迅速かつ容易に緯入れノズルに糸通しすることができる。
【００１３】
したがって、本発明に係る前記エア噴射織機によれば、カッティングブロー用配管路のすべてを糸通し用配管路として兼用することができるので、糸通し用の専用配管路を別に設ける必要はない。しかも、前記開閉弁の制御形態の一部を変更するだけで、糸通し用として適正な圧縮空気を緯入れノズルに供給することができ、これにより糸通し作業を容易かつ迅速に行うことができる。
【００１４】
前記制御装置に前記開閉弁を開放動作させる手動操作器を設けることができる。この場合、前記制御装置が手動操作器からの制御信号を受けているとき、前記開閉弁を前記緯入れノズルへの緯糸の糸通しのために開放させることができる。
【００１５】
前記手動操作器には、前記制御信号を出力するための操作スイッチと、前記開閉弁の開放時間を設定する設定器と、前記操作スイッチが操作されたとき前記設定器により設定された時間の間、前記制御信号を前記開閉弁に出力する出力器とを設けることができる。前記開閉弁の開閉動作時間を長く設定することにより、緯入れノズルから噴射される糸通し用の圧縮空気の噴射力は高まり、これとは逆に前記開閉弁の開閉動作時間を短く設定することにより、緯入れノズルから噴射される糸通し用の圧縮空気の噴射力が低下する。
【００１６】
このことから、前記設定器の操作によって、予め前記開閉弁の開閉動作時間を適正な値に設定することにより、緯入れノズルから噴射される糸通しの圧縮空気の噴射力を糸種に応じて最適な値に調整することができる。
【００１７】
前記した設定器を不要とすることができる。この場合、前記手動操作器は、前記制御信号を出力するための操作スイッチと、該操作スイッチが前記緯入れノズルへの緯糸の糸通しのためにオン操作されている間、前記制御信号を前記開閉弁に連続的に出力する出力器とで構成することができる。この構成によれば、前記操作スイッチの操作時間によって糸通しのための緯入れノズルからの圧縮空気の噴射力を調整することができ、構成も簡素化される。
【発明の効果】
【００１８】
本発明によれば、前記したように、第２の供給路、すなわちカッティングブロー用配管路のすべてを糸通し用配管路として兼用することができるので、糸通し用の専用配管路を別に設ける必要はなく、したがって、圧縮空気の配管路の煩雑化を招くことなく、またそれによる織機の大きなコストアップを招くことなく、糸通し作業を容易かつ迅速に行うことができる。
【発明を実施するための最良の形態】
【００１９】
以下、本発明を図示の実施例に沿って説明する。
【実施例１】
【００２０】
本発明に係るエア噴射織機１０は、図１に示されているように、該織機の主軸１２の回転に同期的に作動される開口装置（図示せず）と、該開口装置の作動よって経糸で形成されるひ口に挿入された緯糸１４を織前に筬打ちするために、前記主軸に連動して揺動運動する筬１６と、該筬に一体的に支持された緯入れノズル１８を有する緯入れ装置２０とを備える。筬１６には、その長手方向に沿って該筬の一端から他端に至る従来よく知られた空気案内溝（図示せず）が形成されており、緯入れノズル１８の噴出口１８ａは前記空気案内溝に向けられている。
【００２１】
緯入れ装置２０は、圧縮空気を発生するための例えば空気ポンプから成る加圧空気源２２と、緯入れノズル１８に接続管路２４を介して接続されたコネクタ２６を経て、加圧空気源２２からの圧縮空気を緯入れノズル１８に案内するための第１の供給路２８と、該第１の供給路とそれぞれ並列的に配置された第２および第３の各供給路３０、３２とを有する。
【００２２】
第１の供給路２８すなわち緯入れ用配管路には、加圧空気源２２からの圧縮空気の圧力を緯糸の緯入れに適した圧力に設定するためのレギュレータ３４と、該レギュレータにより調整された圧力の圧縮空気を保留してこれを緯入れノズル１８に安定して供給するためのタンク３６と、第１の供給路２８を遮断状態に保持し、制御信号を受けたときに第１の供給路２８を開放する第１の開閉弁３８とが、加圧空気源２２からコネクタ２６に向けて順次配置されている。
【００２３】
第２および第３の供給路３０、３２は、それぞれ加圧空気源２２から第１の供給路２８の途中から分岐して、レギュレータ３４、タンク３６および第１の開閉弁３８をバイパスし、再び第１の供給路２８に合流して緯入れノズル１８に至っている。これにより、第２および第３の供給路３０、３２は、第１の供給路２８が供給する圧縮空気の圧力と異なる圧力の圧縮空気を供給する。
【００２４】
第２の供給路３０すなわちカッティングブロー用配管路には、加圧空気源２２からの圧縮空気を減圧するためのレギュレータ４０と、第２の供給路３０を遮断状態に保持し、制御信号を受けたときに第２の供給路３０を開放する第２の開閉弁４２とが上流側からコネクタ２６に接続された下流側へ向けて順次設けられ、また、第２の開閉弁４２とコネクタ２６との間には、圧縮空気の逆流を防止するための逆止弁４４が設けられている。
【００２５】
各開閉弁３８、４２は、例えばソレノイドコイルを有し、制御信号を受けたときに前記ソレノイドコイルへの通電によって開動作する従来よく知られたソレノイドバルブを用いることができる。
【００２６】
第２の供給路３０に設けられたレギュレータ４０は、カッティングブローおよび緯入れノズル１８への糸通しに適するように、加圧空気源２２からの圧縮空気の圧力を第１の供給路２８に設けられたレギュレータ３４の設定圧力よりも低い値に設定する。このように、第２の供給路３０の空気圧を第１の供給路２８を経て緯入れノズル１８に供給される緯入れ用圧縮空気のそれよりも低く設定することにより、緯糸に解撚作用を与えることなく、緯糸の撚り戻りを確実に防止して糸通し作業を容易に行うことができる。
【００２７】
第３の供給路３２すなわち、常時供給用配管路には、加圧空気源２２からの圧縮空気を減圧するためのレギュレータ４６と、圧縮空気の逆流を防止するための逆止弁４８とが上流側からコネクタ２６に接続された下流側へ向けて順次設けられている。レギュレータ４６は、加圧空気源２２からの加圧空気を第２の供給路３０に設けられたレギュレータ４０の設定圧力よりもさらに低い圧力に低下させる。
【００２８】
この第３の供給路３２には、第１および第２の供給路２８、３０におけるような開閉弁は設けられていない。したがって、エア噴射織機１０の製織動作中および非製織動作中に拘わらず、該織機への通電によって加圧空気源２２が作動する限り、両レギュレータ４０、４６で設定される圧力よりも低圧の圧縮空気が接続管路２４を経て緯入れノズル１８に常時供給される。
【００２９】
緯入れノズル１８に常時供給されるこの低圧の圧縮空気は、従来よく知られているように、エア噴射織機１０の非製織動作中であっても、図示しない緯糸測長貯留装置から緯入れノズル１８に供給されかつ該緯入れノズルに糸通しされた緯糸１４に撚り戻りを生じさせることなく、該緯糸の先端が緯入れノズル１８を経る緯糸１４の搬送路から逸脱しないように、緯糸１４を搬送経路内に確実に保持する。
【００３０】
緯入れ装置２０には、主軸１２に設けられたエンコーダ５０からの主軸１２の回転角情報に応じて各開閉弁３８、４２を開放動作させるための制御回路５２が設けられている。制御回路５２は、エンコーダ５０からの主軸１２の回転角情報に基づいて、緯糸の緯入れ時に緯入れノズル１８から緯入れ用圧縮空気を噴出すべく制御信号Ｓ１を所定時間開閉弁３８に出力する。開閉弁３８は、制御信号Ｓ１を受けている間、緯入れのために開放動作する。
【００３１】
この開閉弁３８の開放動作によって緯入れノズル１８に緯入れ用圧縮空気が供給されると、第３の供給路３２から緯入れノズル１８に常時供給される低圧の圧縮空気によって緯入れノズル１８に適正な姿勢で保持され続けていた緯糸１４は、その姿勢を乱すことなく、緯入れノズル１８の噴出口１８ａから噴出する緯入れ用圧縮空気に連行され、これにより緯糸１４は筬１６の前記空気案内溝に沿って前記したひ口を経て織物の反給糸側に確実に案内される。
【００３２】
その後、前記ひ口に挿入された緯糸１４は筬１６によって織前に筬打ちされると、緯入れノズル１８からの緯糸１４は、制御回路５２からの制御信号Ｓ２によって動作する給糸カッタ５４により、緯入れノズル１８から突出する給糸側の部分で切断される。この給糸カッタ５４での緯糸１４の切断に関連して、制御回路５２から開閉弁４２に制御信号Ｓ３が所定時間出力される。
【００３３】
開閉弁４２は、制御信号Ｓ３を受けている間、第２の供給路３０を開放することから、この開閉弁４２の開放動作によって、該第２の供給路を経て緯入れノズル１８にカッティングブロー用の圧縮空気が供給される。制御信号Ｓ３の出力タイミングおよび出力時間は、従来よく知られているように、緯糸１４の切断およびその直後を含む期間、言い換えると切断された緯糸１４が緯糸１４に生じる縮によって緯入れノズル１８から抜け落ちない程度の期間、例えば緯糸１４の切断時期の直前からその直後にわたってカッティングブロー用の圧縮空気を緯入れノズル１８に供給できるように、適宜選択される。カッティングブロー用圧縮空気の緯入れノズル１８への供給により、給糸カッタ５４で緯糸１４を切断するとき、該緯糸に生じる縮によって緯入れノズル１８から緯糸１４が抜け落ちることを確実に防止することができる。
【００３４】
例えば、エア噴射織機１０の製織動作中に、前記測長貯留装置からの緯糸１４が不慮の切断によって緯入れノズル１８から抜け落ちたとき、エア噴射織機１０の製織動作を中止して、前記測長貯留装置からの緯糸１４を改めて緯入れノズル１８に通す作業が必要となる。この緯入れノズル１８への糸通しを容易とするために、緯入れ装置２０には、第２の供給路３０に設けられた開閉弁４２を開放動作させるための手動操作器５６ａを備える制御装置５６が設けられている。
【００３５】
手動操作器５６ａは、緯入れノズル１８への糸通しのために操作されたとき、開閉弁４２を開放動作させるための制御回路５２からの制御信号Ｓ３とは別の制御信号Ｓ４を開閉弁４２に出力する。開閉弁４２は、制御信号Ｓ４を受けると、その開放動作によって第２の供給路３０を開放させる。
【００３６】
手動操作器５６ａは、図２に示されているように、操作スイッチ５８と、出力遮断回路６０ａを有し操作スイッチ５８からの操作信号Ｓ５を受ける出力器６０と、出力器６０からの制御信号Ｓ４の出力時間Ｔすなわち開閉弁４２の開放動作時間を設定する設定器６２とを備える。操作スイッチ５８は、例えば手動操作器５６ａに設けられる図示しない操作パネル上のタッチスイッチ、手動操作器５６ａの図示しないハウジングに設けられる押しボタンスイッチ（図３参照）、スライドスイッチあるいはロータリスイッチのような電気スイッチで構成することができる。
【００３７】
出力器６０の出力遮断回路６０ａは、制御回路５２からエア噴射織機１０の製織動作を示す制御信号Ｓ６を受けているとき、出力器６０からの制御信号Ｓ４の出力を遮断するように動作し、制御信号Ｓ６を受けていないとき、出力器６０からの制御信号Ｓ４の出力を許すように作動する。
【００３８】
設定器６２は、出力器６０が操作スイッチ５８から制御信号Ｓ５を受けたとき、出力器６０から開閉弁４２への制御信号Ｓ４の継続時間を例えば１秒から数秒の０．１秒単位の間で、デジタル的あるいはアナログ的に変化させることができる。この設定器６２の設定操作によって設定時間（開放動作時間）Ｔが出力器６０に設定され、その設定時間Ｔを予め緯入れノズル１８に通される緯糸１４の種類、詳細には緯糸１４の強度に応じて調整しておくことができる。また、緯糸１４の種類毎に設定時間Ｔを予め設定しておき、緯糸１４の種類を選択することによって、設定時間Ｔを決定してもよい。
【００３９】
緯糸１４の強度が比較的高く、また剛性が比較的高い場合、設定器６２での設定時間Ｔを最大値例えば２秒に設定することにより、操作スイッチ５８を操作したとき、開閉弁４２の開放動作によって、例えばカッティングブロー用の圧縮空気の圧力よりも僅かに低い圧力の圧縮空気を糸通し用の圧縮空気として緯入れノズル１８から噴射することができる。
【００４０】
他方、緯糸１４の強度が比較的低い場合、設定器６２での設定時間Ｔを最小値例えば１秒に設定することにより、操作スイッチ５８を操作したとき、開閉弁４２の開放動作によって、例えば常時供給される前記圧縮空気の圧力よりも僅かに高い圧力の圧縮空気を糸通し用の圧縮空気として緯入れノズル１８から噴射することができる。
【００４１】
このように、設定器６２で開閉弁４２への制御信号Ｓ４の設定時間Ｔを予め設定することができるので、緯入れノズル１８に糸通しされる緯糸１４の性質に応じて、すなわち緯糸１４の種類に応じて、緯入れノズル１８から噴射される糸通し用の圧縮空気の噴射圧力を適正に調整することができる。
【００４２】
したがって、緯糸１４の先端を緯入れノズル１８の通孔に差し入れた状態で該緯入れノズルに糸通し用の前記圧縮空気を供給すると、緯糸１４はこれに撚り戻りを生じさせることなく、この空気流に伴って緯入れノズル１８の噴出口１８ａから抜け出るので、容易かつ迅速に緯糸１４を緯入れノズル１８に通すことができる。
【００４３】
出力器６０の出力遮断回路６０ａは、エア噴射織機１０の製織動作中は出力器６０の出力を阻止するように動作することから、製織動作中に誤って操作スイッチ５８が操作されても、開閉弁４２への制御信号Ｓ４の出力が阻止されるので、製織動作中の緯入れノズル１８への不要な糸通し用圧縮空気の供給が確実に阻止される。したがって、この不要な糸通し用圧縮空気の緯入れノズル１８への供給で緯糸１４が損傷したことによる織物の品質低下を確実に防止することができる。
【００４４】
手動操作器５６ａを制御回路５２に組み込むことができる。この場合、手動操作器５６ａの操作によって開閉弁４２に出力される前記した制御信号Ｓ４は、制御回路５２から出力される。
【００４５】
本発明に係るエア噴射織機１０によれば、前記したように、手動操作器５６ａの操作スイッチ５８の操作により、緯入れノズル１８への糸通しのための圧縮空気をカッティングブローと兼用の第２の供給路３０を経て緯入れノズル１８に供給することができる。
【００４６】
したがって、糸通し専用の配管路を設定することなく、緯入れノズル１８への糸通しのための圧縮空気を供給することができるので、迅速かつ容易に緯入れノズル１８に糸通しすることができる。
【００４７】
また、手動操作器５６ａの設定器６２の設定により、操作スイッチ５８の操作の長短に拘わらず、緯糸１４の種類に応じた適正な圧力の糸通し用圧縮空気を緯入れノズル１８から噴射することができるので、緯糸１４に撚り戻りや損傷を与えることなく、確実かつ容易に糸通しすることができる。
【００４８】
図３に示すように、手動操作器５６ａに設定器６２を設けることなく、ハウジング（図示せず）に支持された操作スイッチ５８と、前記ハウジング内で操作スイッチ５８に接続された電源６４とで、手動操作器５６ａを構成することができる。この場合、操作スイッチ５８のオン操作時間に応じた制御信号Ｓ４を開閉弁４２に供給することができるので、設定器６２を不要とすることにより、手動操作器５６ａの構成の簡素化を図ることができる。
【実施例２】
【００４９】
図４に示すエア噴射織機１１０は、複数の緯糸１４、１１４を扱う多色対応、詳細には２色対応の緯入れ装置１２０を備える例を示す。緯入れ装置１２０を示す図４には、図１に示した緯入れ装置２０に設けられたと同様な緯入れノズル１８、該緯入れノズル１８に関連する第１の供給路２８、第２の供給路３０および第３の供給路３２を含む各構成要素が、図１に示したと同一の参照符号を付して示されている。
【００５０】
さらに、緯入れ装置１２０には、緯入れノズル１８を通る緯糸１４とは異なる緯糸１１４を筬１６の前記空気案内溝に向けて案内する緯入れノズル１１８が設けられており、さらに該緯入れノズルに関連して、第１乃至第３の供給路２８、３０および３２にそれぞれ対応する第１乃至第３の供給路１２８、１３０および１３２がそれぞれの分岐管路として設けられている。
【００５１】
第１の供給路１２８に設けられた開閉弁１３８およびコネクタ１２６は、第１の供給路２８の開閉弁３８およびコネクタ２６にそれぞれ対応する。また、第２の供給路１３０に設けられた開閉弁１４２および逆止弁１４４は、第２の供給路３０の開閉弁４２および逆止弁４４にそれぞれ対応する。さらに、第３の供給路１３２に設けられた逆止弁１４８は第３の供給路３２の逆止弁４８に対応する。
【００５２】
制御回路５２は、第１の供給路２８、１２８の各開閉弁３８、１３８に制御信号Ｓ１を交互に出力し、また第２の供給路３０、１３０の各開閉弁４２、１４２に制御信号Ｓ３を交互に出力する。したがって、従来よく知られているように、緯入れノズル１８、１１８からは主軸１２の回転角度に応じて緯糸１４および１１４が交互に前記ひ口に向けて供給され、制御回路５２からの制御信号Ｓ２によって動作する給糸カッタ５４により、適切に切断される。
【００５３】
また、給糸カッタ５４により緯糸１４、１１４が切断されるとき、対応する各開閉弁４２、１４２が制御信号Ｓ３によって開放動作することから、それぞれの緯入れノズル１８、１１８に適切なカッティングブロー用圧縮空気が供給される。さらに、第３の供給路３２、１３２を経て各緯入れノズル１８、１１８に常時、圧縮空気が供給される。この低圧の圧縮空気により、各緯糸１４、１１４は対応する各緯入れノズル１８、１１８内に適正に保持される。
【００５４】
前記したような複数の緯入れノズル１８、１１８が設けられた緯入れ装置１２０では、各緯糸１４、１１４の種類に応じた各緯入れノズル１８、１１８への糸通し用圧縮空気を供給可能とするために、手動操作器５６ａの前記したと同様な設定器６２の設定操作によって、手動操作器５６ａからそれぞれの開閉弁４２、１４２への制御信号Ｓ４の設定時間Ｔを個々に設定可能である。
【００５５】
したがって、手動操作器５６ａからそれぞれの開閉弁４２、１４２へ出力される制御信号Ｓ４に応じて、各開閉弁４２、１４２の開放動作時間が変化することから、各緯入れノズル１８、１１８へ糸通しされる各緯糸１４、１１４の種類あるいはその性質に応じて、糸通し用圧縮空気を各緯入れノズル１８、１１８からそれぞれに最適な噴射力で噴射することができる。
【００５６】
取り扱う緯糸１４、１１４の強度が同一であるような場合、手動操作器５６ａの設定器６２からの単一の制御信号Ｓ４を分割してそれぞれの開閉弁４２、１４２に出力することができる。この場合、ノズル毎に操作スイッチ５８を設ける必要はなく、単一の操作スイッチ５８の操作によって、糸通し用圧縮空気を両緯入れノズル１８、１１８から同一の噴射力で噴射することができる。
【００５７】
また、緯入れ装置１２０では、手動操作器５６ａに図３に示した操作スイッチ５８を設けることができる。この場合、手動操作器５６ａには、緯入れノズル１８、１１８の数に応じた操作スイッチ５８がそれぞれ独立的に設けられる。これに代えて、複数の操作スイッチ５８を連動させることもできる。
【００５８】
さらに、図４に示したような多色対応の緯入れ装置では、すべての緯入れノズル１８、１１８の緯入れ用の第１の供給路２８、１２８に共通のレギュレータ３４を用いているが、これに代えて、例えば４色の緯入れ装置では、２つの緯入れノズル１８、１１８毎にそれぞれに共通のレギュレータを用いることができる。
【００５９】
第２の供給路３０、１３０に設けられた開閉弁４２、１４２を糸通しのために開放する動作は、織機の製織停止ボタンあるいは緯糸測長貯留装置の係止ピンのための解舒ボタンの操作に連動させることができる。この場合、前記製織停止ボタンあるいは解舒ボタンが操作されてから所定の時間遅れで開閉弁４２、１４２が開放動作する。また、操作スイッチ５８が上記解舒ボタンと連動または兼用し、操作スイッチ５８の操作により上記係止ピンを解舒させもよい。
【００６０】
上記実施例では、緯糸１４を糸通しするための開閉弁４２、１４２が開放動作中における操作スイッチ５８の操作による動作を特に記載しなかったが、操作スイッチ５８の操作により制御信号Ｓ４が開閉弁４２、１４２に出力され、開閉弁４２、１４２が開放動作中に糸通しが終了した場合、再度操作スイッチ５８を操作することにより、制御信号Ｓ４の出力を停止させ、開閉弁４２、１４２が閉じ緯入れノズル１８、１１８の噴射を停止されてもよい。
【００６１】
また、上記実施例では、第２および第３の供給路３０、３２は、加圧空気源２２から第１の供給路２８に有するレギュレータ３４、タンク３６および第１の開閉弁３８をバイパスして緯入れノズル１８に至っているが、例えば、緯入れノズル１８、１１８において、空気の流入口を２つ以上設けて、第２および第３の供給路３０、３２を第１の供給路２８とは独立して構成してもよい。上記の要件は多色対応の緯入れ装置においても同様である。
【００６２】
なお、図４では複数の緯入れノズル１８、１１８に対して、緯入れ用の第１の供給路２８、レギュレータ３４、およびタンク３６がそれぞれ共通に設けられているが、通常これらは各緯入れノズル毎に複数設けられている。
【産業上の利用可能性】
【００６３】
本発明は、上記実施例に限定されず、その趣旨を逸脱しない限り、種々に変更することができる。
【図面の簡単な説明】
【００６４】
【図１】本発明に係るエア噴射織機の緯入れ装置の実施例を概略的に示す線図である。
【図２】図１に示した本発明に係る手動操作器の具体例を示すブロック図である。
【図３】本発明に係る手動操作器の他の例を示す図２と同様な図面である。
【図４】本発明に係るエア噴射織機の緯入れ装置の他の実施例を概略的に示す図１と同様な図面である。
【符号の説明】
【００６５】
１０、１１０  エア噴射織機
１４、１１４  緯糸
１８、１１８  緯入れノズル
２８、１２８  第１の供給路
３０、１３０  第２の供給路
４２、１４２  開閉弁
５６  制御装置
５６ａ  手動操作器
５８  操作スイッチ
６０  出力器
６２  設定器
【図１】
2007239164.tif 000003
【図２】
2007239164.tif 000004
【図３】
2007239164.tif 000005
【図４】
2007239164.tif 000006